(57)【要約】      （修正有）【課題】高粘度化が抑制され、かつ高温環境下での低蒸発性に優れ、低温から高温までの広い温度範囲で使用可能な流動性を有する潤滑油用基油及び潤滑油の提供。【解決手段】潤滑油用基油は、式（１）又は特定のジエステル化合物。2018080246.tif 000026（Ｒ１は少なくとも１つのエーテル結合と直鎖／分岐鎖の飽和炭化水素鎖とを有する総炭素数８〜１６の１価の基；ｎは５〜１１の整数）【選択図】なし【特許請求の範囲】
【請求項１】
下記一般式（１）又は一般式（２）で表される化合物である潤滑油用基油。
【化１】
2018080246.tif 000022
［一般式（１）中、Ｒ１は、少なくとも１つのエーテル結合と直鎖又は分岐鎖の飽和炭化水素鎖とからなる総炭素数８〜１６の１価の基を表し、ｎは５〜１１の整数を表す。］
【化２】
2018080246.tif 000023
［一般式（２）中、Ａ１は、少なくとも１つのエーテル結合と直鎖又は分岐鎖の飽和炭化水素鎖とからなる総炭素数８〜１５の２価の基を表し、Ｒ２及びＲ３は、それぞれ独立に、炭素数６〜１０の直鎖又は分岐鎖のアルキル基を表す。］
【請求項２】
前記一般式（１）中のＲ１が、下記構造式（３）で表される１価の基である請求項１に記載の潤滑油用基油。
【化３】
2018080246.tif 000024
［構造式（３）中、＊は、結合手を表す。］
【請求項３】
前記一般式（２）中のＡ１が、下記構造式（４）で表される２価の基である請求項１に記載の潤滑油用基油。
【化４】
2018080246.tif 000025
［構造式（４）中、＊は、結合手を表す。］
【請求項４】
請求項１〜請求項３のいずれか１項に記載の潤滑油用基油を含む潤滑油。
【請求項５】
さらに、ジフェニルアミン化合物、アルキル化フェニル−α−ナフチルアミン、ヒンダードフェノール化合物及びフォスファイトからなる群より選ばれる少なくとも１種の酸化防止剤を含み、前記酸化防止剤の含有量は潤滑油の全質量に対して０．０５質量％〜２質量％である、請求項４に記載の潤滑油。
【発明の詳細な説明】
【技術分野】
【０００１】
本発明は潤滑油用基油及び潤滑油に関する。
【背景技術】
【０００２】
近年、環境問題の観点から、工場、輸送事業者等は、これまで以上に電力及び燃料消費量の削減が求められている。そのため、各種産業機械、自動車等に用いられる潤滑油に起因する効果としても省電力及び省燃費効果が求められている。各種産業機械、自動車等の省電力及び省燃費効果を高める手段としては、潤滑油に摩擦調整剤を添加して摩擦を低減する方法、低粘度の基油を用いること等がある。また、冬場の寒冷地等の低温環境下で使用される各種機械は、低温環境下における始動性（以下、「低温始動性」ともいう。）が良好であることが望まれる。この低温始動性を向上させる手段として、低粘度の基油を用いることは有効である。
【０００３】
また近年、各種機械の高性能化、小型軽量化等に伴い、高温環境下で潤滑油が使用される場合が増加している。高温環境下で潤滑油が使用されると、潤滑油中の基油が蒸発しやすい。そのため、基油の蒸発を抑える特性（以下、「低蒸発性」ともいう。）の向上が求められる。
【０００４】
たとえば、低粘度、かつ、低蒸発性である潤滑油又は潤滑油用基油として、脂肪族モノカルボン酸エステルを含む潤滑油及びコハク酸ジエステルを含む潤滑油用基油がそれぞれ開示されている（例えば、特許文献１及び２参照）。また、広い温度範囲での使用が可能な軸受用潤滑剤として、２−エチル−２−メチル−１，３−プロパンジオールと、炭素数５〜１２のカルボン酸とからなるエステル化合物と、特定の基油とを含む軸受用潤滑剤が開示されている（例えば、特許文献３参照）。
【先行技術文献】
【特許文献】
【０００５】
【特許文献１】特開２００２−１４６３７４号公報
【特許文献２】特開２００３−３４７９５号公報
【特許文献３】特開２０１０−１３８３１６号公報
【発明の概要】
【発明が解決しようとする課題】
【０００６】
近年では、各種機械の高性能化及び小型化が図られる傾向にあり、省電力及び省燃費効果に伴って、より一層、粘度特性に優れ、かつ、低蒸発性に優れた基油が求められている。ところで、一般に、基油の低蒸発性を改善しようとすると動粘度が高くなる傾向にある。一方、省電力、省燃費効果又は低温始動性を得るために、基油を改善しようとすると、基油の動粘度が低くなる傾向にある。すなわち、低蒸発性でありながら粘度が低く抑えられ、低温から高温までの広い温度範囲で長期間使用できる潤滑油に用いる基油が求められている。
【０００７】
本発明者らは、上記課題を解決すべく鋭意研究を重ねた結果、エーテル結合を有する特定のエステル化合物が潤滑油用基油の低蒸発性を維持しながら粘度の上昇を抑制し、かつ、低流動点を実現できることを見出した。
【０００８】
本発明は、上記に鑑みてなされたものであり、高粘度化が抑制され、かつ高温環境下での低蒸発性に優れ、低温から高温までの広い温度範囲で使用可能な流動性を有する潤滑油用基油及び潤滑油を提供する。
【課題を解決するための手段】
【０００９】
＜１＞  下記一般式（１）又は一般式（２）で表される化合物である潤滑油用基油。
【００１０】
【化１】
2018080246.tif 000002
【００１１】
一般式（１）中、Ｒ１は、少なくとも１つのエーテル結合と直鎖又は分岐鎖の飽和炭化水素鎖とからなる総炭素数８〜１６の１価の基を表し、ｎは５〜１１の整数を表す。
【００１２】
【化２】
2018080246.tif 000003
【００１３】
一般式（２）中、Ａ１は、少なくとも１つのエーテル結合と直鎖又は分岐鎖の飽和炭化水素鎖とからなる総炭素数８〜１５の２価の基を表し、Ｒ２及びＲ３は、それぞれ独立に、炭素数６〜１０の直鎖又は分岐鎖のアルキル基を表す。
【００１４】
＜２＞  前記一般式（１）中のＲ１が、下記構造式（３）で表される１価の基である＜１＞に記載の潤滑油用基油。
【００１５】
【化３】
2018080246.tif 000004
【００１６】
構造式（３）中、＊は、結合手を表す。
【００１７】
＜３＞  前記一般式（２）中のＡ１が、下記構造式（４）で表される２価の基である＜１＞に記載の潤滑油用基油。
【００１８】
【化４】
2018080246.tif 000005
【００１９】
構造式（４）中、＊は、結合手を表す。
【００２０】
＜４＞  前記＜１＞〜＜３＞のいずれか１項に記載の潤滑油用基油を含む潤滑油。
【００２１】
＜５＞  さらに、ジフェニルアミン化合物、アルキル化フェニル−α−ナフチルアミン、ヒンダードフェノール化合物及びフォスファイトからなる群より選ばれる少なくとも１種の酸化防止剤を含み、前記酸化防止剤の含有量は潤滑油の全質量に対して０．０５質量％〜２質量％である、前記＜４＞に記載の潤滑油。
【発明の効果】
【００２２】
本発明によれば、高粘度化が抑制され、かつ高温環境下での低蒸発性に優れ、低温から高温までの広い温度範囲で使用可能な流動性を有する潤滑油用基油及び潤滑油を提供することができる。
【発明を実施するための形態】
【００２３】
以下、本発明を実施するための形態について詳細に説明する。
なお、本明細書中、数値範囲を現す「〜」は、その上限及び下限としてそれぞれ記載されている数値を含む範囲を表す。また、「〜」で表される数値範囲において上限値のみ単位が記載されている場合は、下限値も同じ単位であることを意味する。
【００２４】
＜潤滑油用基油＞
本発明の潤滑油用基油は、下記一般式（１）又は一般式（２）で表される化合物（以下、「特定エステル化合物」ともいう。）である。特定エステル化合物は、１分子中に少なくとも１つのエーテル結合を有するエステル化合物である。特定エステル化合物の総炭素数は、２０〜４０の範囲である。潤滑油用基油が特定エステル化合物であると、高温環境下で潤滑油を使用した場合であっても、高粘度化が抑制され、かつ高温環境下での低蒸発性に優れ、又、良好な流動性を保持することが可能となる。
一般的に、蒸発性を改善するためには、エステル化合物の分子量を増加させ、かつ、１分子中の分岐鎖の数を少なくすることが求められる。しかしながら、分子量を増加させ、かつ、分岐鎖の数を少なくした場合、エステル化合物は結晶化しやすくなり、低温環境下での良好な流動性が保持できない可能性がある。
特定エステル化合物は、エステル結合及びエーテル結合に由来する酸素原子を含むので、酸素原子同士の反発が起こりやすく、結晶化されにくい傾向がある。本発明の潤滑油用基油は特定エステル化合物であるので、低温環境下でも凝固しにくく、かつ、良好な流動性を保持できると推測される。
【００２５】
なお、本実施形態において高温環境とは、６０℃以上の環境をいう。また、低蒸発とは、高温環境下において潤滑油を使用した場合、使用前後の潤滑油の質量の変化率が０．３５％以下であることをいう。
【００２６】
【化５】
2018080246.tif 000006
【００２７】
一般式（１）中、Ｒ１は、少なくとも１つのエーテル結合と直鎖又は分岐鎖の飽和炭化水素鎖とからなる総炭素数８〜１６の１価の基を表し、ｎは５〜１１の整数を表す。
【００２８】
【化６】
2018080246.tif 000007
【００２９】
一般式（２）中、Ａ１は、少なくとも１つのエーテル結合と直鎖又は分岐鎖の飽和炭化水素鎖とからなる総炭素数８〜１５の２価の基を表し、Ｒ２及びＲ３は、それぞれ独立に、炭素数６〜１０の直鎖又は分岐鎖のアルキル基を表す。
【００３０】
特定エステル化合物の製造方法は、特に制限はなく、従来一般的に用いられている公知の方法を使用することができる。特定エステル化合物は、例えば、１価のアルコールと２価のカルボン酸とのエステル化反応又は２価のアルコールと１価のカルボン酸とのエステル化反応により得られる反応生成物であってもよい。
【００３１】
また、特定エステル化合物は、１分子中に、側鎖を少なくとも１つ有することが好ましい。
ここで、特定エステル化合物における側鎖とは、主鎖から枝分かれしている枝の部分を表す。特定エステル化合物が一般式（１）で表される場合、一般式（１）の分子構造中で、エステル結合（−ＣＯ−Ｏ−）を含み、かつ、最も長い直鎖部分が主鎖となる。特定エステル化合物が一般式（２）で表される場合、一般式（２）の分子構造中で、２つのエステル結合（−ＣＯ−Ｏ−）を含み、かつ、最も長い直鎖部分が主鎖となる。
側鎖の炭素原子の数は、特に制限はなく、炭素原子の数が１であってもよい。炭素原子の数が１である側鎖の具体例としては、メチル基が挙げられる。
【００３２】
一般式（１）において、Ｒ１は、少なくとも１つのエーテル結合と直鎖又は分岐鎖の飽和炭化水素鎖とからなる総炭素数８〜１６の１価の基である。
【００３３】
Ｒ１は、直鎖又は分岐鎖の飽和炭化水素鎖がエーテル結合を介して連結する構造を有する。
エーテル結合を介して連結される直鎖又は分岐鎖の飽和炭化水素鎖としては、炭素数２〜１０の直鎖又は分岐鎖の飽和炭化水素鎖であることが好ましく、炭素数２〜８の直鎖又は分岐鎖の飽和炭化水素鎖であることがより好ましい。合成のしやすさから、飽和炭化水素鎖としては、炭素数２の直鎖の飽和炭化水素鎖若しくは炭素数６〜１０の分岐鎖の飽和炭化水素鎖、又は、炭素数３の分岐鎖の飽和炭化水素鎖若しくは炭素数５〜９の分岐鎖の飽和炭化水素鎖であることが更に好ましい。
【００３４】
Ｒ１中、エーテル結合の数としては、高粘度化の抑制並びに高温環境下での低蒸発性及び低流動点が得られる観点から、１〜５であることが好ましく、１〜３であることがより好ましく、１又は２であることが更に好ましい。
【００３５】
Ｒ１中のエーテル結合の数とエーテル結合を介して連結される直鎖又は分岐鎖の飽和炭化水素鎖との組み合わせとしては、エーテル結合の数が１〜５である場合（より好ましくは１〜３、更に好ましくは、１又は２である。）、飽和炭化水素鎖としては、炭素数２〜１０の直鎖又は分岐鎖の飽和炭化水素鎖が好ましく、炭素数２〜８の分岐鎖の飽和炭化水素鎖がより好ましく、合成のしやすさから、炭素数２の直鎖の飽和炭化水素鎖若しくは炭素数６〜１０の分岐鎖の飽和炭化水素鎖、又は、炭素数３の分岐鎖の飽和炭化水素鎖若しくは炭素数５〜９の分岐鎖の飽和炭化水素鎖であることが更に好ましい。
【００３６】
Ｒ１における１価の基の総炭素数としては、８〜１６であり、高粘度化の抑制並びに高温環境下での低蒸発性及び低流動点が得られる観点から、１０〜１４であることが好ましく、１０〜１２であることがより好ましい。
【００３７】
高粘度化の抑制並びに高温環境下での低蒸発性及び低流動点が得られる観点から、Ｒ１としては、少なくとも１つのエーテル結合と分岐鎖の飽和炭化水素鎖とからなる総炭素数８〜１６の１価の基であることが好ましく、少なくとも１つのエーテル結合と分岐鎖の飽和炭化水素鎖とからなる総炭素数１０〜１４の１価の基であることがより好ましく、１つ又は２つのエーテル結合と分岐鎖の飽和炭化水素鎖とからなる総炭素数１０〜１４の１価の基であることが更に好ましい。
【００３８】
Ｒ１が、少なくとも１つのエーテル結合と分岐鎖の飽和炭化水素鎖とからなる総炭素数８〜１６の１価の基である場合、具体例としては下記構造式（３）等で表される１価の基が挙げられる。なお、構造式（３）中、＊は、結合手を表す。
【００３９】
【化７】
2018080246.tif 000008
【００４０】
中でも、高粘度化の抑制並びに高温環境下での低蒸発性及び低流動点が得られる観点から、Ｒ１は、構造式（３）で表される１価の基であることが好ましい。
【００４１】
一般式（１）において、ｎは５〜１１の整数であり、高粘度化の抑制並びに高温環境下での低蒸発性及び低流動点が得られる観点から、ｎとしては、６〜１０の整数であることが好ましく、６〜９であることがより好ましく、８であることが更に好ましい。
【００４２】
一般式（１）で表される化合物は、Ｒ１が、少なくとも１つのエーテル結合と分岐鎖の飽和炭化水素鎖とからなる総炭素数８〜１６の１価の基であり、ｎが６〜１０の整数（より好ましくは６〜９であり、更に好ましくは８である。）である場合が好ましい。
更には、一般式（１）で表される化合物は、Ｒ１が、少なくとも１つのエーテル結合と分岐鎖の飽和炭化水素鎖とからなる総炭素数１０〜１４の１価の基であり、ｎが６〜１０の整数（より好ましくは６〜９であり、更に好ましくは８である。）である場合が好ましい。
更には、一般式（１）で表される化合物は、Ｒ１が、１〜２つのエーテル結合と分岐鎖の飽和炭化水素鎖とからなる総炭素数１０〜１４の１価の基であり、ｎが６〜１０の整数（より好ましくは６〜９であり、更に好ましくは８である。）である場合が好ましい。
【００４３】
一般式（２）において、Ａ１は、少なくとも１つのエーテル結合と直鎖又は分岐鎖の飽和炭化水素鎖とからなる総炭素数８〜１５の２価の基である。
【００４４】
Ａ１は、直鎖又は分岐鎖の飽和炭化水素鎖がエーテル結合を介して連結する構造を有する。
エーテル結合を介して連結される直鎖又は分岐鎖の飽和炭化水素鎖としては、炭素数２〜１０の直鎖又は分岐鎖の飽和炭化水素鎖であることが好ましく、炭素数２〜８の直鎖又は分岐鎖の飽和炭化水素鎖であることがより好ましい。合成のしやすさから、飽和炭化水素鎖としては、炭素数２の直鎖の飽和炭化水素鎖若しくは炭素数６〜１０の分岐鎖の飽和炭化水素鎖、又は、炭素数３の分岐鎖の飽和炭化水素鎖若しくは炭素数５〜９の分岐鎖の飽和炭化水素鎖であることが更に好ましい。
【００４５】
Ａ１中、エーテル結合の数としては、高粘度化の抑制並びに高温環境下での低蒸発性及び低流動点が得られる観点から、１〜５であることが好ましく、１〜３であることがより好ましく、１であることが更に好ましい。
【００４６】
Ａ１中のエーテル結合の数とエーテル結合を介して連結される直鎖又は分岐鎖の飽和炭化水素鎖との組み合わせとしては、エーテル結合の数が１〜５である場合（より好ましくは１〜３、更に好ましくは、１である。）、飽和炭化水素鎖としては、炭素数２〜１０の直鎖又は分岐鎖の飽和炭化水素鎖であることが好ましく、炭素数２〜８の直鎖又は分岐鎖の飽和炭化水素鎖であることがより好ましく、合成のしやすさから、炭素数２の直鎖の飽和炭化水素鎖若しくは炭素数６〜１０の分岐鎖の飽和炭化水素鎖、又は、炭素数３の分岐鎖の飽和炭化水素鎖若しくは炭素数５〜９の分岐鎖の飽和炭化水素鎖であることが更に好ましい。
【００４７】
Ａ１における２価の基の総炭素数としては、８〜１５であり、高粘度化の抑制並びに高温環境下での低蒸発性及び低流動点が得られる観点から、９〜１３であることが好ましく、１０〜１２であることがより好ましい。
【００４８】
高粘度化の抑制並びに高温環境下での低蒸発性及び低流動点が得られる観点から、Ａ１としては、少なくとも１つのエーテル結合と分岐鎖の飽和炭化水素鎖とからなる総炭素数８〜１４の２価の基であることが好ましく、少なくとも１つのエーテル結合と分岐鎖の飽和炭化水素鎖とからなる総炭素数９〜１３の２価の基であることがより好ましく、１つのエーテル結合と分岐鎖の飽和炭化水素鎖とからなる総炭素数１０〜１２の２価の基であることが更に好ましい。
【００４９】
Ａ１が少なくとも１つのエーテル結合と分岐鎖の飽和炭化水素鎖とからなる総炭素数８〜１４の２価の基である場合、具体例としては、下記構造式（４）で表される２価の基が挙げられる。なお、構造式（４）中、＊は、結合手を表す。
【００５０】
【化８】
2018080246.tif 000009
【００５１】
これらの中でも、高粘度化の抑制並びに高温環境下での低蒸発性及び低流動点が得られる観点から、Ａ１が、構造式（４）で表される２価の基であることが好ましい。
【００５２】
また、一般式（２）において、Ｒ２及びＲ３は、それぞれ独立に、炭素数６〜１０の直鎖又は分岐鎖のアルキル基であり、例えば、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルヘプチル基及びｎ−デシル基が挙げられる。
中でも、高粘度化の抑制並びに高温環境下での低蒸発性及び低流動点が得られる観点から、Ｒ２及びＲ３としては、それぞれ独立に、炭素数６〜１０の直鎖のアルキル基であることが好ましく、炭素数７〜９の直鎖のアルキル基であることがより好ましく、炭素数８の直鎖のアルキル基であることが更に好ましい。
【００５３】
一般式（１）又は一般式（２）で表される化合物の具体例としては、下記の例示化合物（１−１）及び例示化合物（２−１）が挙げられる。
【００５４】
【化９】
2018080246.tif 000010
【００５５】
【化１０】
2018080246.tif 000011
【００５６】
高粘度化の抑制及び高温環境下での低蒸発性の観点から、特定エステル化合物としては、例示化合物（１−１）及び例示化合物（２−１）の少なくとも一方であることが好ましい。
【００５７】
＜潤滑油＞
本発明の潤滑油は、特定エステル化合物である潤滑油用基油を含有する。また、本発明の潤滑油は、酸化防止剤を含有することが好ましい。
【００５８】
潤滑油用基油の含有量としては、潤滑油の全質量に対して、９０質量％以上であることが好ましく、９３質量％以上であることがより好ましく、９５質量％以上であることが更に好ましい。
【００５９】
（酸化防止剤）
潤滑油は、前記潤滑油用基油と、ジフェニルアミン化合物、アルキル化フェニル−α−ナフチルアミン、ヒンダードフェノール化合物、及びフォスファイトからなる群より選ばれる少なくとも１種の酸化防止剤を含むことが好ましい。
【００６０】
ジフェニルアミン化合物としては、例えば、下記一般式（５）で表される化合物が挙げられる。
【００６１】
【化１１】
2018080246.tif 000012
【００６２】
一般式（５）中、Ｒ４及びＲ５は、それぞれ独立に、水素原子又は炭素数１〜１６の直鎖若しくは分岐鎖のアルキル基を表す。
【００６３】
Ｒ４及びＲ５は、それぞれ独立に、好ましくは水素原子又は炭素数３〜９の直鎖若しくは分岐鎖のアルキル基であり、より好ましくは水素原子又は炭素数４〜８の直鎖若しくは分岐鎖のアルキル基である。
【００６４】
Ｒ４及びＲ５で表される直鎖若しくは分岐鎖のアルキル基の具体例としては、メチル基、エチル基、ｎ−プロピル基、イソプロピル基、ｎ−ブチル基、イソブチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルヘプチル基、ｎ−デシル基、ｎ−ウンデシル基、ｎ−ドデシル基、ｎ−テトラデシル基等が挙げられる。
【００６５】
ジフェニルアミン化合物は、１種を単独で又は２種以上を組み合わせてもよい。
【００６６】
アルキル化フェニル−α−ナフチルアミンとしては、例えば、下記一般式（６）で表される化合物が挙げられる。
【００６７】
【化１２】
2018080246.tif 000013
【００６８】
一般式（６）中、Ｒ６は、炭素数１〜１６の直鎖又は分岐鎖のアルキル基である。
一般式（６）中のＲ６は、好ましくは炭素数４〜８の直鎖又は分岐鎖のアルキル基である。
【００６９】
Ｒ６で表わされる直鎖又は分岐鎖のアルキル基の具体例としては、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルへプチル基、ｎ−デシル基、ｎ−ウンデシル基、ｎ−ドデシル基、ｎ−テトラデシル基等が挙げられる。アルキル化フェニル−α−ナフチルアミンは、１種を単独で又は２種以上を組み合わせてもよい。
【００７０】
ヒンダードフェノール化合物としては、例えば、下記一般式（７）、一般式（８）又は一般式（９）で表される化合物が挙げられる。
【００７１】
【化１３】
2018080246.tif 000014
【００７２】
一般式（７）中、Ｒ７、Ｒ８、Ｒ１０、及びＲ１１は、それぞれ独立に、水素原子又は炭素数１〜１２の直鎖若しくは分岐鎖のアルキル基を表す。Ｒ９は、炭素数１〜５のアルキレン基を表す。
【００７３】
一般式（７）中、Ｒ７、Ｒ８、Ｒ１０、及びＲ１１は、それぞれ独立に、好ましくは水素原子又は炭素数４〜８の直鎖若しくは分岐鎖のアルキル基である。
【００７４】
Ｒ７、Ｒ８、Ｒ１０、及びＲ１１で表される直鎖又は分岐鎖のアルキル基の具体例としては、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルヘプチル基、ｎ−デシル基、ｎ−ウンデシル基、ｎ−ドデシル基等が挙げられる。
【００７５】
一般式（７）中、Ｒ９は、炭素数１〜５のアルキレン基であり、好ましくは炭素数１〜４のアルキレン基である。
【００７６】
Ｒ９で表されるアルキレン基の具体例としては、メチレン基、エチレン基、プロピレン基、ブチレン基、ペンチレン基等が挙げられる。
【００７７】
【化１４】
2018080246.tif 000015
【００７８】
一般式（８）中、Ｒ１２及びＲ１３は、それぞれ独立に、水素原子又は炭素数１〜１２の直鎖若しくは分岐鎖のアルキル基を表す。ｎは、１〜４の整数を表す。
【００７９】
一般式（８）中、Ｒ１２及びＲ１３は、それぞれ独立に、好ましくは水素原子又は炭素数４〜８の直鎖若しくは分岐鎖のアルキル基である。
【００８０】
一般式（８）中、ｎは１〜４の整数であり、好ましくは１〜３の整数である。
【００８１】
Ｒ１２及びＲ１３で表される直鎖若しくは分岐鎖のアルキル基の具体例としては、一般式（７）中のＲ７、Ｒ８、Ｒ１０、及びＲ１１におけるアルキル基と同じものが挙げられる。
【００８２】
【化１５】
2018080246.tif 000016
【００８３】
一般式（９）中、Ｒ１４、Ｒ１５及びＲ１６は、それぞれ独立に、水素原子又は炭素数１〜１２の直鎖若しくは分岐鎖のアルキル基を表す。
【００８４】
一般式（９）中、Ｒ１４及びＲ１５は、それぞれ独立に、好ましくは水素原子又は炭素数４〜８の直鎖若しくは分岐鎖のアルキル基であり、Ｒ１６は、好ましくは水素原子又は炭素数１〜４の直鎖若しくは分岐鎖のアルキル基である。
【００８５】
Ｒ１４、Ｒ１５及びＲ１６で表される直鎖若しくは分岐鎖のアルキル基の具体例としては、一般式（７）中のＲ７、Ｒ８、Ｒ１０及びＲ１１におけるアルキル基と同じものが挙げられる。
【００８６】
ヒンダードフェノール化合物は、１種を単独で又は２種以上を組み合わせてもよい。
【００８７】
フォスファイトとしては、例えば、下記一般式（１０）で表される化合物が挙げられる。
【００８８】
【化１６】
2018080246.tif 000017
【００８９】
一般式（１０）中、Ｒ１７及びＲ１８は、それぞれ独立に、炭素数１〜２０の直鎖又は分岐鎖のアルキル基を表す。
【００９０】
一般式（１０）中、Ｒ１７及びＲ１８は、それぞれ独立に、好ましくは炭素数２〜６の直鎖又は分岐鎖のアルキル基である。
【００９１】
Ｒ１７及びＲ１８で表される直鎖又は分岐鎖のアルキル基の具体例としては、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、ｎ−ヘキシル基、イソヘキシル基、３−メチルペンチル基、エチルブチル基、ｎ−ヘプチル基、２−メチルヘキシル基、ｎ−オクチル基、２−エチルヘキシル基、３−メチルヘプチル基、ｎ−ノニル基、メチルオクチル基、エチルへプチル基、ｎ−デシル基、ｎ−ウンデシル基、ｎ−ドデシル基、ｎ−テトラデシル基等が挙げられる。
【００９２】
フォスファイトは、１種を単独で又は２種以上を組み合わせてもよい。
【００９３】
酸化防止剤の含有量は、潤滑油の全質量に対して０．０５質量％〜２質量％が好ましい。酸化防止剤の含有量が０．０５質量％以上であると、潤滑油の高温下における蒸発性がより抑制される傾向にある。
上記観点から、酸化防止剤の含有量としては、０．２５質量％〜１．５質量％がより好ましく、０．５質量％〜１質量％が更に好ましい。
酸化防止剤は、１種単独で又は２種以上を組み合わせて使用してもよい。２種以上を組み合わせて使用する場合の含有量は、その合計量が上記範囲内であることが好ましい。
【００９４】
＜その他の基油＞
潤滑油は、本発明の目的及び効果を損なわない範囲内において、更に上記特定エステル化合物以外のその他の基油を含んでいてもよい。その他の基油としては、鉱物系潤滑油用基油、合成系潤滑油用基油等が挙げられる。
【００９５】
鉱物系潤滑油用基油としては、水素化精製油、触媒異性化油等に溶剤脱蝋又は水素化脱蝋等の処理を施した高度に精製されたパラフィン系鉱油、滑油基油原料をフェノール、フルフラール等の芳香族抽出溶剤を用いた溶剤精製により得られるラフィネート、シリカ−アルミナ等を担体とするコバルト、モリブデンなどの水素化処理触媒を用いた水素化処理により得られる水素化処理油などが挙げられる。
【００９６】
合成油系潤滑油用基油としては、例えば、メタン等のガスを原料としてフィッシャー・トロプシュ反応により合成される基油、ポリ−α−オレフィンオリゴマー、ポリブテン、アルキルベンゼン、モノエステル、ポリオールエステル、ポリグリコールエステル、ポリエチレンプロピレン類、ヒンダードエステル類、二塩基酸エステルなどを挙げられる。
その他の基油は、それぞれ１種単独で又は、２種以上を組み合わせて用いてもよい。また、その他の基油は、鉱物系潤滑油用基油と合成系潤滑油用基油とを混合して使用してもよい。
【００９７】
潤滑油がその他の基油を含む場合、その他の基油の含有量としては、潤滑油の全質量に対して、８０質量％以下であることが好ましく、７０質量％以下であることがより好ましく、５０質量％以下であることが更に好ましい。
【００９８】
（その他の添加剤）
本発明の潤滑油は、さらに金属不活性化剤、さび止め剤、摩耗防止剤、流動点降下剤、粘度指数向上剤、加水分解防止剤などの一般的な潤滑油添加剤を含有してもよい。
【００９９】
＜潤滑油の動粘度、粘度指数及び流動点＞
潤滑油は、４０℃における動粘度が６ｍｍ２／ｓ〜２０ｍｍ２／ｓであることが好ましい。４０℃動粘度が６ｍｍ２／ｓ以上であると蒸発損失が抑制され、十分な潤滑性能を保持できる。また、２０ｍｍ２／ｓ以下であると精密機器等に使用した際の粘性トルクが大きくなること、及び低温始動性が低下することが抑制される。したがって、低消費電力や蒸発損失、潤滑性能の観点から、４０℃における動粘度が６ｍｍ２／ｓ〜１５ｍｍ２／ｓであることがより好ましく、７．５ｍｍ２／ｓ〜１３ｍｍ２／ｓであることが更に好ましい。
【０１００】
また、潤滑油は、粘度指数が１１０以上であることが好ましく、１２０以上であることがより好ましい。粘度指数が１１０以上であると、温度変化に対する粘度変化が抑制され、低温における粘性トルクが大きくなることが抑制される。
なお、潤滑油の４０℃動粘度は、ＪＩＳ−Ｋ−２２８３：２０００（ＡＳＴＭ  Ｄ４４５）に規定の方法により測定される値である。また、潤滑油の粘度指数は、ＪＩＳ  Ｋ  ２２８３：２０００（ＡＳＴＭ  Ｄ２２７０））に規定の方法により測定される値である。
【０１０１】
潤滑油の流動点は、好ましくは−２０℃以下であり、より好ましくは−３０℃以下であり、更に好ましくは−３５℃以下である。流動点が−２０℃以下であると、所定の低温トルク性能が得られやすい傾向にある。ここで、流動点は、ＪＩＳ  Ｋ  ２２６９：１９８７流動点試験方法に基づき測定される値である。
【０１０２】
＜潤滑油の用途＞
本発明の潤滑油は、種々の精密機器、ＣＤ−Ｒ、ＤＶＤ−Ｒ、ＨＤＤ、時計等のモーターの軸受の潤滑油に好適に利用することが可能である。
特に、上記の精密機器の摺動部分及び回転部分に用いることで、低消費電力を確保しながら、蒸発損失を抑制することで、長期間安定的に優れた潤滑性を達成させることができる。
【実施例】
【０１０３】
以下、実施例に基づいて、本発明の内容を具体的に説明するが、本発明はこれらの実施例によって何ら限定されるものではない。
【０１０４】
（実施例１及び２並びに比較例１及び２）
実施例１及び２並びに比較例１及び２の潤滑油は、下記表１に示す割合（質量％）で各成分を配合して調製した。
調製した各潤滑油について、以下の評価をそれぞれ行った。評価結果を表１に示す。
【０１０５】
［評価］
（１）動粘度の測定
ＪＩＳ  Ｋ  ２２８３：２０００に規定の動粘度試験方法に基づき、４０℃にて、動粘度（ｍｍ２／ｓ）を測定した。測定結果を表１に示す。４０℃動粘度が２０ｍｍ２／ｓ以下であれば、低粘度であると評価できる。
【０１０６】
（２）粘度指数の算出
ＪＩＳ  Ｋ  ２２８３：２０００（ＡＳＴＭ  Ｄ２２７０））に規定の方法に基づき粘度指数を測定した。測定結果を表１に示す。粘度指数が１１０以上であると、粘度温度特性が確保されていると評価できる。
【０１０７】
（３）蒸発率の測定
上記で調製した各潤滑油を１２０℃の恒温槽で２，０００時間保管した。保管前後の潤滑油の質量の変化率を求めて、低蒸発性を評価した。評価結果を表１に示す。
変化率（質量％）＝（保管前の潤滑油の質量−保管後の潤滑油の質量）／保管前の潤滑油の質量×１００
【０１０８】
（４）流動点の測定
ＪＩＳ  Ｋ  ２２６９：１９８７に規定の流動点試験方法に基づき、上記で調製した各潤滑油の流動点を測定した。その結果を表１に示す。流動点が−２０℃以下であると、低温粘度と潤滑特性が得られていると評価できる。
【０１０９】
【表１】
2018080246.tif 000018
【０１１０】
表１中の各成分は以下の通りである。なお、表１中、「−」は当該成分を含まないことを意味する。
【０１１１】
（基油）
基油Ａ；下記例示化合物（１−１）（一般式（１）で表される化合物）
【０１１２】
【化１７】
2018080246.tif 000019
【０１１３】
基油Ｂ；下記例示化合物（２−１）（一般式（２）で表される化合物）
【０１１４】
【化１８】
2018080246.tif 000020
【０１１５】
基油Ｃ；下記例示化合物（Ａ）
【０１１６】
【化１９】
2018080246.tif 000021
【０１１７】
基油Ｄ；ＤＯＳ、セバシン酸ジ２−エチルへキシル（Ｃ８Ｈ１６（ＣＯＯＣ８Ｈ１７）２）
【０１１８】
（酸化防止剤）
酸化防止剤Ａ；アルキル化フェニル−α−ナフチルアミン（（Ｎ−フェニル−ａｒ−(１，１，３，３−テトラメチルブチル)−１−ナフタレンアミン）
なお、ａｒは「アリール基」の略である。
酸化防止剤Ｂ；フォスファイト（トリス(２，４−ジ−ｔｅｒｔ−ブチルフェニル)フォスファイト）
酸化防止剤Ｃ；アルキル化ジフェニルアミン（Ｎ−フェニルベンゼンアミンと２，４，４−トリメチルペンテンの反応生成物）
【０１１９】
（その他潤滑油添加剤）
金属不活性化剤；ベンゾトリアゾール誘導体
さび止め剤；コハク酸ハーフエステル
摩耗防止剤；テトラオレイン酸ポリオキシエチレンソルビット
加水分解抑制剤；カルボジイミド化合物
帯電防止剤；リチウム＝ビス（トリフルオロメタンスルホニル）イミド
【０１２０】
表１に示すとおり、実施例１及び実施例２の潤滑油は、ＤＯＳを含む比較例２と比べて、１２０℃の恒温槽で２，０００時間保管した場合であっても蒸発が低く抑えられており、低蒸発性が良好である。また、実施例１及び実施例２の潤滑油は、エーテル結合を有さない化合物を含む基油を用いた比較例１の潤滑油と比べて流動点が非常に低いことが分かる。
そのため、本発明の潤滑油は、比較例１と比べて、低温から高温までの広い温度範囲で使用可能であることが分かる。